(57)【要約】【課題】記憶媒体の論理的故障によるシステムダウンが発生した場合でも、コストを抑えつつ、システム運転を継続することができる医用画像撮影装置を提供する。【解決手段】医用画像撮影装置１において、第１ソフトウェアを記憶する第１記憶媒体８と、第１ソフトウェアと同じ第２ソフトウェアを記憶する第２記憶媒体９と、第１記憶媒体８の論理的故障を検出する手段と、第１記憶媒体８の論理的故障を検出した場合、記憶した第２ソフトウェアを起動する手段とを備える。【選択図】図１
2008188161.tif 000002
【特許請求の範囲】
【請求項１】
第１ソフトウェアを記憶する第１記憶媒体と、
前記第１ソフトウェアと同じ第２ソフトウェアを記憶する第２記憶媒体と、
前記第１記憶媒体の論理的故障を検出する手段と、
前記第１記憶媒体の論理的故障を検出した場合、記憶した前記第２ソフトウェアを起動する手段と、
を備えることを特徴とする医用画像撮影装置。
【請求項２】
前記検出する手段は、前記第１ソフトウェアの起動の成否に応じて、前記第１記憶媒体が論理的に正常であるか否かを示す情報を取得して保持し、次回の前記第１ソフトウェアの起動を行う場合、保持した前記情報に基づいて前記第１記憶媒体の論理的故障を検出することを特徴とする請求項１記載の医用画像撮影装置。
【請求項３】
前記検出する手段は、前記第１ソフトウェアの起動の成否に応じて、前記第１記憶媒体の論理的故障を検出することを特徴とする請求項１記載の医用画像撮影装置。
【請求項４】
前記第２記憶媒体は、前記第１記憶媒体を復旧するための復旧情報を記憶する記憶媒体であり、
前記第１記憶媒体の論理的故障を検出した場合、記憶した前記復旧情報に基づいて前記第１記憶媒体の論理的故障を復旧する手段を備えることを特徴とする請求項１、２又は３記載の医用画像撮影装置。
【請求項５】
前記第１記憶媒体の論理的故障を検出した場合、前記第１記憶媒体の論理的故障に関する情報を保持する手段を備えることを特徴とする請求項１、２、３又は４記載の医用画像撮影装置。
【請求項６】
前記第１記憶媒体の交換に応じて、交換した前記第１記憶媒体に記憶された前記第１ソフトウェアを前記第２ソフトウェアとして前記第２記憶媒体に上書きする手段を備えることを特徴とする請求項１乃至５のいずれか一に記載の医用画像撮影装置。
【請求項７】
前記第１記憶媒体及び前記第２記憶媒体のどちらか一方又は両方は、ハードウェアに替えて処理を行うための第３ソフトウェアを記憶する記憶媒体であり、
前記ハードウェアと、
前記ハードウェアの物理的故障を検出する手段と、
前記ハードウェアの物理的故障を検出した場合、前記第３ソフトウェアにより前記ハードウェアをエミュレートする手段と、
を備えることを特徴とする請求項１乃至６のいずれか一に記載の医用画像撮影装置。
【発明の詳細な説明】
【技術分野】
【０００１】
本発明は、医用画像を撮影する医用画像撮影装置に関する。
【背景技術】
【０００２】
医用画像撮影装置の発展に伴って、医師が患者の患部を示す画像を用いて診察や手術等を行う機会が増加している。医用画像撮影装置としては、例えば、Ｘ線断層撮影装置（ＣＴ）、Ｘ線透視撮影装置及び磁気共鳴撮影装置（ＭＲＩ）及び超音波診断装置等が挙げられる（例えば、特許文献１参照）。
【０００３】
このような医用画像撮像装置においても、一般的な装置と同様、システムが動作停止状態になるシステムダウンが発生する。一般的に、システム復旧手段としては、記憶媒体をレイド（ＲＡＩＤ）構成にしておくことや、同じ医用画像撮像装置を複数用意しておくこと等が行われている。なお、システムダウンは、ハードウェアの損傷やソフトウェアの不具合等が原因となって発生する。
【特許文献１】特開平１１−２８５４９４号公報
【発明の開示】
【発明が解決しようとする課題】
【０００４】
しかしながら、前述のようなシステム復旧手段を用いても、記憶媒体の論理的故障によるシステムダウンが生じた場合、システム運転を継続することができない。また、同じ医用画像撮影装置を複数用意することは、コストを上昇させてしまう。
【０００５】
本発明は、上記に鑑みてなされたものであり、記憶媒体の論理的故障によるシステムダウンが発生した場合でも、コストを抑えつつ、システム運転を継続することができる医用画像撮影装置を提供することである。
【課題を解決するための手段】
【０００６】
本発明の実施の形態に係る特徴は、医用画像撮影装置において、第１ソフトウェアを記憶する第１記憶媒体と、第１ソフトウェアと同じ第２ソフトウェアを記憶する第２記憶媒体と、第１記憶媒体の論理的故障を検出する手段と、第１記憶媒体の論理的故障を検出した場合、記憶した第２ソフトウェアを起動する手段とを備えることである。
【発明の効果】
【０００７】
本発明によれば、コストを抑えつつ、記憶媒体の論理的故障が発生した場合でも、システムダウンを回避することができる。
【発明を実施するための最良の形態】
【０００８】
本発明の実施の一形態について図面を参照して説明する。本発明の実施の形態では、医用画像撮影装置の一例として超音波診断装置について説明する。
【０００９】
図１に示すように、超音波診断装置１は、患者等の被検体に対して超音波の送受波を行う超音波プローブ２と、超音波プローブ２に対する駆動信号の送信及び超音波プローブ２からの反射信号の受信を行う送受信部３と、受信した反射信号に基づいて被検体の検査対象部位の画像を生成する画像生成部４と、生成した画像を表示する表示部５と、医者等の操作者からの入力操作を受け付ける入力部６と、各部を制御する制御部７と、各種のプログラム及びデータを記憶する第１記憶媒体８及び第２記憶媒体９とを備えている。
【００１０】
超音波プローブ２は、圧電素子等の材料によりそれぞれ形成された複数の超音波振動子を備えており、それらの超音波振動子により、被検体に対して超音波を送信し、被検体からの反射波をエコー信号として受信する機器である。なお、超音波プローブ２は、医者等の操作者により被検体の表面に当てられ、その状態で超音波の送信及び反射波の受信を行う。
【００１１】
送受信部３は、超音波プローブ２の各超音波振動子に印加する電気パルス信号（励起信号）を駆動信号として生成し、その駆動信号を超音波プローブ２に送信する。さらに、送受信部３は、超音波プローブ２から送信されたエコー信号を受信する。
【００１２】
画像生成部４は、受信したエコー信号を処理し、Ｂモード画像データやカラードプラ画像データ等の画像データを生成する。この画像生成部４は、例えば、ハードウェア（電子回路）により構成され、基板等に実装されている。
【００１３】
表示部５は、画像を表示する表示装置であって、特に、生成した画像データに基づいて画像を表示する表示装置である。この表示部５としては、例えば、液晶ディスプレイやＣＲＴ（Cathode Ray Tube）ディスプレイ等を用いる。
【００１４】
入力部６は、操作者により入力操作される入力部であって、特に、装置の起動開始や画像表示の開始等の各種の入力操作を受け付ける入力部である。この入力部６としては、例えば、専用の操作パネル、キーボード及びマウス等の入力デバイスを用いる。
【００１５】
制御部７は、各部を集中的に制御するＣＰＵ（Central Processing Unit）、ＢＩＯＳ（バイオス）等を記憶する不揮発メモリ及びＣＰＵのワークエリアとして機能するＲＡＭ（Random Access Memory）等を備えている。不揮発メモリとしては、例えば、ＲＯＭ（Read Only Memory）やフラッシュメモリ等を用いる。
【００１６】
この制御部７は、通常、ＢＩＯＳに基づいてブートローダと呼ばれる起動プログラムを読み出して実行し、第１記憶媒体８に格納されているオペレーティングシステム（ＯＳ）、すなわち基本ソフトウェアを起動する。その後、制御部７は、第１記憶媒体８に格納されている各種のプログラムやデータ等に基づいて各部の制御を行う。特に、制御部７は、データの計算又は加工等を行う一連のデータ処理及び画像を表示する画像表示処理等を実行する。
【００１７】
第１記憶媒体８は、各種のプログラムやデータ等を記憶する主記憶媒体であって、特に、図２に示すように、システムデータ及び第１記憶媒体８のイメージデータを記憶する記憶媒体である。この第１記憶媒体８としては、例えば、ハードディスクドライブ等の磁気ディスク装置、及びフラッシュメモリ等の半導体ディスク装置等を用いる。
【００１８】
第２記憶媒体９は、各種のプログラムやデータ等を記憶する補助記憶媒体であって、特に、図２に示すように、システムデータ、第１記憶媒体８のイメージデータ及びユーザデータを記憶する記憶媒体である。この第２記憶媒体９としては、第１記憶媒体８と同じように、例えば、ハードディスクドライブ等の磁気ディスク装置、及びフラッシュメモリ等の半導体ディスク装置等を用いる。
【００１９】
ここで、システムデータは、基本ソフトウェアであるオペレーティングシステム（ＯＳ）、超音波診断に関する撮影用の超音波ソフトウェア、及び超音波診断装置１の工場出荷時設定データ等により構成されている。第１記憶媒体８のイメージデータは、第１記憶媒体８の内容（イメージ）をそのままファイル化したイメージファイルである。このイメージデータが復旧情報として機能する。
【００２０】
また、ユーザデータは、医師等のユーザにより作成された画像データや設定データ等の各種データである。例えば、画像データは、表示中の画像を保存する必要がある場合等、操作者であるユーザにより入力部６に対して保存用の入力操作が行われると、第２記憶媒体９にユーザデータとして保存される。同じように、設定データも、ユーザにより入力部６に対して設定用の入力操作が行われると、第２記憶媒体９にユーザデータとして保存される。
【００２１】
次に、このような超音波診断装置１の処理動作について説明する。まず、第１記憶媒体８に格納されているオペレーティングシステム（以下、第１記憶媒体８のオペレーティングシステムという）を起動することができない場合に、第２記憶媒体９に格納されているオペレーティングシステム（以下、第２記憶媒体９のオペレーティングシステムという）を起動するシステム起動処理について説明する。
【００２２】
図３に示すように、制御部７は、最初に、第１記憶媒体８の正常フラグが１であるか否かを判断する（ステップＳ１）。第１記憶媒体８の正常フラグが１であると判断した場合には（ステップＳ１のＹＥＳ）、第１記憶媒体８の正常フラグを０にセットし（ステップＳ２）、第１記憶媒体８が認識されたか否かを判断する（ステップＳ３）。
【００２３】
第１記憶媒体８が認識されたと判断した場合には（ステップＳ３のＹＥＳ）、第１記憶媒体８のシステム、すなわち第１記憶媒体８のオペレーティングシステムを起動する（ステップＳ４）。その後、システムが正常に起動されたか否かを判断する（ステップＳ５）。システムが正常に起動されたと判断した場合には（ステップＳ５のＹＥＳ）、第１記憶媒体８の正常フラグを１にセットし（ステップＳ６）、処理を終了する。ここで、システムが正常に起動されなかった場合には（ステップＳ５のＮＯ）、超音波診断装置１がフリーズ等の停止状態、すなわちシステムダウン状態になる。これに応じて、ユーザは入力部６に対して超音波診断装置１を再起動させる入力操作を行う。
【００２４】
一方、第１記憶媒体８の正常フラグが１でないと判断した場合（ステップＳ１のＮＯ）又は第１記憶媒体８が認識されなかったと判断した場合には（ステップＳ３のＮＯ）、第２記憶媒体９が認識されたか否かを判断する（ステップＳ７）。
【００２５】
第２記憶媒体９が認識されたと判断した場合には（ステップＳ７のＹＥＳ）、第２記憶媒体９のシステム、すなわち第２記憶媒体９のオペレーティングシステムを起動する（ステップＳ８）。その後、システムが正常に起動されたか否かを判断する（ステップＳ９）。システムが正常に起動されたと判断した場合には（ステップＳ９のＹＥＳ）、第１記憶媒体８の異常をユーザに通知する（ステップＳ１０）。このとき、制御部７は、例えば、異常発生を報知する報知画面を表示部５に表示させる。また、制御部７は、第１記憶媒体８の異常に関する情報、例えばログ情報等を第２記憶媒体９に保持する。この情報は異常発生の要因等を解析するために用いられる。
【００２６】
次いで、ユーザが復旧を選択したか否かを判断する（ステップＳ１１）。このとき、ユーザが異常の復旧を希望する場合、入力部６に対して第１記憶媒体８の復旧を指示する入力操作を行う。ユーザが復旧を選択したと判断した場合には（ステップＳ１１のＹＥＳ）、第１記憶媒体８を復旧し（ステップＳ１２）、第１記憶媒体８の正常フラグを１にセットし（ステップＳ１３）、処理を終了する。このとき、制御部７は、第２記憶媒体９に格納されている第１記憶媒体８のイメージデータに基づいて第１記憶媒体８を復元する。一方、ユーザが復旧を選択していないと判断した場合には（ステップＳ１１のＮＯ）、第２記憶媒体９のオペレーティングシステムによるシステム運転を継続し（ステップＳ１４）、処理を終了する。
【００２７】
ここで、第２記憶媒体９が認識されなかった場合（ステップＳ７のＮＯ）やシステムが正常に起動されなかった場合には（ステップＳ９のＮＯ）、超音波診断装置１がフリーズ等の停止状態、すなわちシステムダウン状態になる。これに応じて、ユーザは入力部６に対して超音波診断装置１を再起動させる入力操作を行う。
【００２８】
このように、第１記憶媒体８の論理的故障を検出し、その論理的故障を検出した場合、第２記憶媒体９のオペレーティングシステムを起動することによって、第１記憶媒体８の論理的故障によるシステムダウンが発生した場合でも、超音波診断装置１は第２記憶媒体９のオペレーティングシステムを用いて動作するので、システム運転を継続することができる。
【００２９】
ここで、第１記憶媒体８の論理的故障を検出する検出手段としては、例えば、正常フラグを用いている。第１記憶媒体８の正常フラグは、システム起動前にリセットされ（０にされ）、システム起動後にセットされる（１にされる）。したがって、第１記憶媒体８の論理的故障が発生し、システム起動が完了しなかった場合には、正常フラグはリセットされた状態である。これにより、次回のシステム起動時に正常フラグがリセットされた状態であった場合には、第１記憶媒体８の論理的故障が発生したことが検出される。なお、論理的故障は、例えば、データの不整合やデータ異常等のソフトウェアに関する論理的な故障であり、物理的故障は、ハードディスクドライブ等のハードウェアに関する物理的な故障である。
【００３０】
加えて、第１記憶媒体８の論理的故障の発生を検出した場合には、第２記憶媒体９によるシステム起動が実行される。その後、システム起動が完了した場合には、第１記憶媒体８の異常発生が報知される。ユーザが第１記憶媒体８の復旧を望む場合には、第２記憶媒体９に格納されている第１記憶媒体８のイメージデータに基づいて、第１記憶媒体８の内容が復元される。このように、ユーザの希望に応じて、論理的故障中の第１記憶媒体８が自動的に復旧されるので、装置の信頼性を向上させることができる。
【００３１】
次に、第１記憶媒体８のオペレーティングシステムを起動することができたが、第１記憶媒体８に格納されている超音波ソフトウェア（以下、第１記憶媒体８の超音波ソフトウェアという）を起動することができない場合に、第２記憶媒体９に格納されている超音波ソフトウェア（以下、第２記憶媒体９の超音波ソフトウェアという）を起動する超音波ソフトウェア起動処理について説明する。
【００３２】
図４に示すように、制御部７は、第１記憶媒体８の超音波ソフトウェアを起動し（ステップＳ２１）、第１記憶媒体８の超音波ソフトウェアが正常に起動されたか否かを判断する（ステップＳ２２）。
【００３３】
第１記憶媒体８の超音波ソフトウェアが正常に起動されたと判断した場合には（ステップＳ２２のＹＥＳ）、第１記憶媒体８のオペレーティングシステム及び超音波ソフトウェアによるシステム運転を継続し（ステップＳ２３）、処理を終了する。一方、第１記憶媒体８の超音波ソフトウェアが正常に起動されてないと判断した場合には（ステップＳ２２のＮＯ）、第２記憶媒体９の超音波ソフトウェアを起動し（ステップＳ２４）、第２記憶媒体９の超音波ソフトウェアが正常に起動されたか否かを判断する（ステップＳ２５）。
【００３４】
その後、第２記憶媒体９の超音波ソフトウェアが正常に起動されたと判断した場合には（ステップＳ２５のＹＥＳ）、第１記憶媒体８の異常をユーザに通知する（ステップＳ２６）。このとき、制御部７は、例えば、異常発生を報知する報知画面を表示部５に表示させる。また、制御部７は、第１記憶媒体８の異常に関する情報、例えば、異常なソフトウェアのログ情報等を第２記憶媒体９に保持する。この情報は異常発生の要因等を解析するために用いられる。
【００３５】
次いで、ユーザが復旧を選択したか否かを判断する（ステップＳ２７）。このとき、ユーザが異常の復旧を希望する場合、入力部６に対して第１記憶媒体８の復旧を指示する入力操作を行う。ユーザが復旧を選択したと判断した場合には（ステップＳ２７のＹＥＳ）、第１記憶媒体８を復旧し（ステップＳ２８）、処理を終了する。このとき、制御部７は、第２記憶媒体９に格納されている第１記憶媒体８のイメージデータに基づいて第１記憶媒体８を復元する。一方、ユーザが復旧を選択していないと判断した場合には（ステップＳ２７のＮＯ）、第２記憶媒体９のオペレーティングシステム及び超音波ソフトウェアによるシステム運転を継続し（ステップＳ２９）、処理を終了する。
【００３６】
このように、第１記憶媒体８の超音波ソフトウェアを起動し、超音波ソフトウェアの起動の成否に応じて、第１記憶媒体８の論理的故障を検出することによって、超音波ソフトウェアが正常に起動されなかった場合、第１記憶媒体８の論理的故障が発生したと判断されるので、容易かつ正確に第１記憶媒体８の論理的故障を検出することができる。
【００３７】
なお、第１記憶媒体８の工場出荷時設定データが壊れており、システム起動や超音波ソフトウェア起動時等に読み込むことができない場合でも、制御部７は、第２記憶媒体９の工場出荷時設定データを読み込んで用いる。これにより、第１記憶媒体８の工場出荷時設定データが壊れていても、第２記憶媒体９の工場出荷時設定データを用いて超音波診断装置１は動作するので、超音波診断装置１が停止状態になることを回避することができる。
【００３８】
また、第１記憶媒体８の故障やソフトウェアのアップグレード等のため、第１記憶媒体８の交換を行った場合には、制御部７は、交換した第１記憶媒体８に記憶されたシステムデータ及びイメージデータを第２記憶媒体９に上書きする。これにより、第１記憶媒体８の交換に応じて、その内容が第２記憶媒体９に保存されるので、ユーザは入力部６に対して更新用の入力操作を行う必要がなくなり、利便性を向上させることができ、さらに、第１記憶媒体８を交換する作業だけを行えばよくなるので、作業時間を短縮することができる。
【００３９】
次に、画像生成部４等のハードウェアが故障した場合に、第１記憶媒体８又は第２記憶媒体９に格納されているソフトウェア（以下、第１記憶媒体８又は第２記憶媒体のソフトウェアという）によりハードウェアをエミュレートするエミュレート処理について説明する。特に、画像生成部４を実装する基板の故障等が発生することがある。
【００４０】
図５に示すように、制御部７は、システム起動に応じて、ハードウェアの初期化を行う（ステップＳ３１）。ハードウェアの初期化時にエラーが検出されたか否かを判断する（ステップＳ３２）。このとき、書込エラーや応答エラー等のエラーが自動検出される。
【００４１】
エラーが検出されたと判断した場合には（ステップＳ３２のＹＥＳ）、第１記憶媒体８又は第２記憶媒体９のソフトウェアにより、ハードウェアをエミュレート（模倣）し（ステップＳ３３）、処理を終了する。このとき、第１記憶媒体８及び第２記憶媒体９のどちらか一方又は両方には、各ハードウェアに対応させて複数のソフトウェアが予め格納されている。例えば、画像生成部４に対応させて画像生成処理用のソフトウェアが格納されている。なお、エミュレート処理としては、例えば、スキャンコンバージョン処理等を用いる。一方、エラーが検出されなかったと判断した場合には（ステップＳ３２のＮＯ）、そのまま処理を終了する。
【００４２】
このように第１記憶媒体８及び第２記憶媒体９のどちらか一方又は両方に、ハードウェアに替えて処理を行うためのソフトウェアを格納しておき、ハードウェアの物理的故障を検出した場合、第１記憶媒体８又は第２記憶媒体９のソフトウェアに基づいてハードウェアをエミュレートすることから、ハードウェアの物理的故障が発生した場合でも、ハードウェアが行う処理がソフトウェアにより行われるので、システムダウンを回避することができる。
【００４３】
以上説明したように、本発明の実施の形態によれば、第１記憶媒体８の論理的故障を検出し、その論理的故障を検出した場合、第２記憶媒体９のソフトウェア（例えば、オペレーティングシステムや超音波ソフトウェア等）を起動することによって、第１記憶媒体８の論理的故障によるシステムダウンが発生した場合でも、超音波診断装置１は第２記憶媒体９のソフトウェアを用いて動作するので、システム運転を継続することができる。さらに、第１記憶媒体８に加えて第２記憶媒体９を設ければよく、装置を複数用意する必要がなくなるので、コストを抑えることができる。
【００４４】
加えて、第１記憶媒体８のソフトウェア（例えば、オペレーティングシステム）の起動の成否に応じて、第１記憶媒体８が論理的に正常であるか否かを示す情報を取得して保持し、次回の第１記憶媒体８のソフトウェアの起動を行う場合、保持した情報に基づいて第１記憶媒体８の論理的故障を検出することから、第１記憶媒体８のソフトウェアが正常に起動されなかった場合、第１記憶媒体８が論理的に正常でないことを示す情報が保持され、次回起動時、その情報に基づいて第１記憶媒体８の論理的故障が検出されるので、容易かつ正確に第１記憶媒体８の論理的故障を検出することができる。
【００４５】
また、第１記憶媒体８のソフトウェア（例えば、超音波ソフトウェア）の起動の成否に応じて、第１記憶媒体８の論理的故障を検出することによって、ソフトウェアが正常に起動されなかった場合、第１記憶媒体８の論理的故障が発生したと判断されるので、容易かつ正確に第１記憶媒体８の論理的故障を検出することができる。
【００４６】
さらに、第２記憶媒体９は、第１記憶媒体８を復旧するための復旧情報（例えば、第１記憶媒体８のイメージデータ）を記憶する記憶媒体であり、第１記憶媒体８の論理的故障を検出した場合、記憶した復旧情報に基づいて第１記憶媒体８の論理的故障を復旧することから、論理的故障中の第１記憶媒体８が自動的に復旧されるので、装置の信頼性を向上させることができる。
【００４７】
加えて、第１記憶媒体８の論理的故障を検出した場合、第１記憶媒体８の論理的故障に関する情報を保持することから、この情報を用いて後から異常発生の要因等を解析することが可能になるので、超音波診断装置１に異常発生を回避するための処置等を施すことができ、さらに、その解析情報を超音波診断装置１のメンテナンスや開発等に役立てることができる。
【００４８】
また、第１記憶媒体８の交換に応じて、交換した第１記憶媒体８に記憶されたソフトウェアを第２記憶媒体９に上書きすることから、第１記憶媒体８の故障やソフトウェアのアップグレード等のため、第１記憶媒体８を交換した場合、その内容が第２記憶媒体９に保存されるので、ユーザは入力部６に対して更新用の入力操作を行う必要がなくなり、利便性を向上させることができ、さらに、第１記憶媒体８を交換する作業を行うだけでよくなるので、作業時間を短縮することができる。
【００４９】
さらに、第１記憶媒体８及び第２記憶媒体９のどちらか一方又は両方は、ハードウェアに替えて処理を行うためのソフトウェアを記憶する記憶媒体であり、ハードウェアの物理的故障を検出し、ハードウェアの物理的故障を検出した場合、第１記憶媒体８又は第２記憶媒体９のソフトウェアに基づいてハードウェアをエミュレートすることから、ハードウェアの物理的故障が発生した場合でも、ハードウェアが行う処理がソフトウェアにより行われるので、システムダウンを回避することができる。
【００５０】
（他の実施の形態）
なお、本発明は、前述の実施の形態に限るものではなく、その要旨を逸脱しない範囲において種々変更可能である。
【００５１】
例えば、前述の実施の形態においては、補助記憶媒体として第２記憶媒体９を１つだけ設けているが、これに限るものではなく、例えば、２つ以上設けるようにしてもよい。この場合には、２つ以上の補助記憶媒体に優先順位を付与し、優先順位が高い補助記憶媒体のソフトウェアから順次起動を行っていく。なお、このように補助記憶媒体の数を増加させることによって、装置の信頼性を向上させることができる。
【図面の簡単な説明】
【００５２】
【図１】本発明の実施の一形態に係る超音波診断装置の概略構成を示すブロック図である。
【図２】図１に示す超音波診断装置が備える第１記憶媒体及び第２記憶媒体を模式的に示す模式図である。
【図３】図１に示す超音波診断装置が行うシステム起動処理の流れを示すフローチャートである。
【図４】図１に示す超音波診断装置が行う超音波ソフトウェア起動処理の流れを示すフローチャートである。
【図５】図１に示す超音波診断装置が行うエミュレート処理の流れを示すフローチャートである。
【符号の説明】
【００５３】
１      医用画像撮影装置（超音波診断装置）
４      ハードウェア（画像生成部）
８      第１記憶媒体
９      第２記憶媒体
【図１】
2008188161.tif 000003
【図２】
2008188161.tif 000004
【図３】
2008188161.tif 000005
【図４】
2008188161.tif 000006
【図５】
2008188161.tif 000007